(57)【特許請求の範囲】
【請求項１】
遊技機の扉の開放を検出する扉開放検出手段と、
遊技島を構成する各遊技機に電力を分配し供給する元電源での電力供給の切り換えを行う電力供給切換手段と、
上記扉開放検出手段から扉開放検出信号が送られてきたとき上記電力供給切換手段をオフし元電源からの電力供給を遮断する電力供給遮断手段と、
上記元電源での電力供給の復帰を指令する復帰信号が送られてきたとき上記電力供給切換手段をオンして元電源からの各遊技機への電力供給を復帰させる電力供給復帰手段と、
を備えることを特徴とする遊技機不正防止システム。
【請求項２】
上記遊技機は、上記電力供給遮断手段による電力供給の遮断を受けて遊技情報のバックアップを行う、ことを特徴とする請求項１に記載の遊技機不正防止システム。
【請求項３】
上記電力供給遮断手段による電力供給の遮断が発生したとき、その旨を報知する報知手段を備える、ことを特徴とする請求項１または２に記載の遊技機不正防止システム。
【発明の詳細な説明】
【０００１】
【発明の属する技術分野】
この発明は、遊技機の不正使用を監視し防止する遊技機不正防止システムに関するものである。
【０００２】
【従来の技術】
近年、パチンコ機などの遊技機は、電子化が広範に進められて、コンピュータ制御されるようになっており、その遊技内容も、「大当たり」を組み込むなどして多様化し、一旦「大当たり」となると、遊技者の得る利益も大きいので、遊技としての興趣性も増している。その一方で、この「大当たり」を多発させるべく、遊技台の扉を開放し、遊技プログラムを改竄する等の不正行為も発生しており、このような不正行為によって遊技店は多大な損害を蒙る場合もある。
【０００３】
そこで、このような不正行為を防止するための各種装置が遊技機に設けられるようになっており、例えば、特開２０００−１７６１３９号公報では、遊技盤枠に内枠開放検出装置と前面枠開放検出装置とを設け、内枠や前面枠が開放されるとその検出信号を管理装置に送信し、当該遊技機の報知手段で報知し即座に全店員に詳細な内容を知らせるようにしたものがある。
【０００４】
【発明が解決しようとする課題】
しかし、上記の特開２０００−１７６１３９号公報で開示されている装置では、確かに扉が開放されたことを店員が知ることでその不正を防止できるものの、遊技店が忙しいときなどは店員が迅速に対応できない場合もある。そのような場合は、その不正行為が遂行されたり、その後第三者の遊技者がその遊技機で遊技を行うこともあり、やはり遊技店が多大な損害を蒙ることを防止できないという問題点を有していた。
【０００５】
また、このような不正行為が行われると、遊技の健全性が損なわれ、遊技者の信頼が失われるという問題も生じている。
【０００６】
この発明は上記に鑑み提案されたもので、扉を開放してなされる不正行為を確実に防止することができる遊技機不正防止システムおよび遊技機を提供することを目的とする。
【０００７】
【課題を解決するための手段】
上記目的を達成するために、請求項１に記載の発明は、遊技機の扉の開放を検出する扉開放検出手段と、遊技島を構成する各遊技機に電力を分配し供給する元電源での電力供給の切り換えを行う電力供給切換手段と、上記扉開放検出手段から扉開放検出信号が送られてきたとき上記電力供給切換手段をオフし元電源からの電力供給を遮断する電力供給遮断手段と、上記元電源での電力供給の復帰を指令する復帰信号が送られてきたとき上記電力供給切換手段をオンして元電源からの各遊技機への電力供給を復帰させる電力供給復帰手段と、を備えることを特徴としている。
【００１１】
また、請求項２に記載の発明は、上記した請求項１に記載の発明の構成に加えて、上記遊技機は、上記電力供給遮断手段による電力供給の遮断を受けて遊技情報のバックアップを行う、ことを特徴としている。
【００１２】
また、請求項３に記載の発明は、上記した請求項１または２に記載の発明の構成に加えて、上記電力供給遮断手段による電力供給の遮断が発生したとき、その旨を報知する報知手段を備える、ことを特徴としている。
【００１３】
【発明の実施の形態】
以下にこの発明の実施の形態を図面に基づいて詳細に説明する。先ず第１の実施形態を図１〜図５を用いて説明する。
【００１４】
図１はこの発明の遊技機不正防止システムが適用される遊技機の正面斜視図、図２は図１の遊技機の背面斜視図である。これらの図において、１はパチンコ玉を使用して遊技を行う遊技機であり、この遊技機１は、外枠１１の一側に、窓部を有して額縁状の前枠１２を開閉可能に蝶着し、その窓部には金枠１３を装着し、金枠１３の上半側にはガラスを装着したガラス枠１４を蝶着すると共に、遊技盤を後方から臨ませ、金枠１３の下半側（窓部の下方部分）には球を貯留する上皿２１を有するパネル２２を開閉可能に蝶着し、また前枠１２の下方部分には打球の飛距離を調整する操作ハンドル３１と上皿２１から溢れた球を貯留する下皿３２等が配設された下皿セット３を設けてなる。
【００１５】
この遊技機１の裏面側には、その前枠１２や遊技盤に、電源モジュール６、主制御部４０、払出制御装置４１、外部端子４２が設けられている。なお、特に符号を付さないが、この他に特別図柄表示装置、音声制御装置、およびランプ制御装置等も設けられている。
【００１６】
前枠１２には、この前枠１２の開放を検出する扉開放スイッチ５１が設けられ、ガラス枠１４には、ガラス枠１４の開放を検出する扉開放スイッチ５２が設けられている。この扉開放スイッチ５１，５２としては、種々のタイプのものが採用され、例えば図３に示すような押しボタンタイプのスイッチを用いた場合は、扉が閉鎖されているときはその可動部分５１ａ，５２ａが押され伸縮した状態となって信号はＯＦＦとなり、扉が開放されると可動部分５１ａ，５２ａが自由に伸長した状態となって信号はＯＮとなる。そして、この扉開放スイッチ５１，５２のＯＮ信号は上記の外部端子４２に出力される。
【００１７】
図４はこの発明の遊技機不正防止システムの全体構成を示す図である。図において、この発明の遊技機不正防止システムは、遊技機１の扉開放に伴う不正を監視し防止するシステムである。遊技機１は複数列設されて遊技島１０を構成し、この遊技島１０を構成する各遊技機１には、商用１００ボルト電源が所定の電圧に変換された後、分配器７０で分配され供給されている。すなわち、遊技島１０毎にトランス部８０と分配器７０とが配置され、トランス部８０はその降圧、整流、低電圧化の諸機能を用いて商用１００ボルトを、例えばＡＣ２４ボルトに変換し、分配器７０はトランス部８０で得られた所定電圧（ＡＣ２４ボルト）の電源を、切換装置７１を介して当該遊技島１０を構成する各遊技機１に分配する。
【００１８】
各遊技機１の電源モジュール６は、スイッチ装置６１と電源装置６２と電源中継装置６３とバックアップ電源部６４とを備え、上記の切換装置７１経由で送られてきた所定電圧の電源は、電源モジュール６の電源装置６２に受電される。この電源装置６２では、ＡＣ２４ボルトをさらにＤＣ２４ボルトやＤＣ１２ボルトに変換し、これらの各種電圧（ＡＣ２４ボルト、ＤＣ２４ボルト、ＤＣ１２ボルト等）を電源中継装置６３に出力する。
【００１９】
電源中継装置６３は、電源装置６２からの各種電圧を中継し遊技機１の各部位、例えば上記した主制御部４０、特別図柄表示装置４３、払出制御装置４１、音声制御装置４４、ランプ制御装置４５等に給電する。
【００２０】
また、スイッチ装置６１は電源装置６２を外部よりオン・オフ動作させるための外部操作部品である。
【００２１】
ホールコンピュータ９は、遊技島１０や遊技機１の各々を統括し制御しており、切換装置７１に対して指令信号を送出することで、分配器７０と電源モジュール６との間の断接を行うようになっている。
【００２２】
すなわち、前枠１２やガラス枠１４が開放されて、扉開放スイッチ５１，５２からオン信号が出力されると、このオン信号は外部端子４２からホールコンピュータ９に送られる。ホールコンピュータ９は、扉開放スイッチ５１，５２からのオン信号が入力されると、当該遊技機１の切換装置７１に指令して分配器７０と電源モジュール６との間を遮断し、電源モジュール６への電力供給を停止させる。
【００２３】
また、ホールコンピュータ９は、扉開放スイッチ５１，５２からのオン信号が入力されると、その遊技島１０や当該遊技機１に設けられている報知器（図示省略）に指令して警報音を発生させる。
【００２４】
さらに、ホールコンピュータ９には、遊技機１の各々に対応して起動スイッチ９１，…が設けられ、この起動スイッチ９１がオンされると、ホールコンピュータ９はそのオン信号（復帰信号）に基づいて、切換装置７１に指令信号を送出し、分配器７０と電源モジュール６との間を接続し、電源モジュール６への電力供給を開始する。
【００２５】
次に、この遊技機１が有するバックアップ機能について図５を用いて説明する。
【００２６】
図５はバックアップ機構の構成を示すブロック図である。図中、主制御部４０は、遊技の進行状況に応じて特別図柄表示装置４３や音声制御装置４４、ランプ制御装置４５等に指令し、表示制御や、点灯制御、音声制御などを行うメイン制御部である。主制御部４０は、各種の遊技プログラムを実行するＣＰＵ４０１と、ＣＰＵ４０１が実行するための遊技プログラムや設定データテーブルを格納した不揮発性メモリであるＲＯＭ４０２と、各種制御データの逐次書き換えと読み出しが可能とされた揮発性メモリであるＲＡＭ４０３とを備え、これらの各要素が内部バス４１０（アドレスバスおよびデータバス）を介して接続されている。
【００２７】
ＣＰＵ４０１にはこの内部バス４１０を介してデータ設定装置４０５が接続されている。このデータ設定装置４０５は、設定データ、例えば年、月、日、曜日の日付データや、特別図柄表示装置に表示する図柄データ群等を、ＲＡＭ４０３に確保された設定データ記憶領域４０３ａに入力するためのものである。
【００２８】
また、ＣＰＵ４０１には内部バス４１０および出力ポート４０４を介して特別図柄表示装置４３等が接続されている。さらにＣＰＵ４０１には、現在の年、月、日、曜日の日付データを生成してＣＰＵ４０１に供給する時計ＩＣ４０６が接続される。
【００２９】
一方、上記した電源モジュール６の電源装置６２は、切換装置７１を介して送られてきた交流電源（例えば、ＡＣ２４Ｖ）を整流して平滑した後、定電圧回路により作動電圧Ｖｃｃを生成し、この作動電圧Ｖｃｃを、バックアップ電源部６４のバックアップ電源回路６４０に供給すると共に、供給端子６２１を介して主制御部４０のＣＰＵ４０１およびＲＯＭ４０２に作動電源として供給する。
【００３０】
バックアップ電源部６４は、作動電圧Ｖｃｃから作動電圧Ｖｄｄを生成するものであり、生成された作動電圧Ｖｄｄは、Ｎｉ−Ｃｄ（ニッケル−カドミウム）電池からなるバックアップ電池６４１の＋極に供給され、電源供給時はバックアップ電池６４１を充電すると共に、供給端子６４２を介して時計ＩＣ４０６およびＲＡＭ４０３に各作動電源を供給する。
【００３１】
また、バックアップ電源部６４には電源監視ＩＣ６４３が設けられている。この電源監視ＩＣ６４３は、電源装置６２が生成する作動電圧Ｖｃｃの電圧レベルを監視し、作動電圧Ｖｃｃの電圧レベルが規定値よりも低下した場合にＰＷＤＮ信号を出力する。電源監視ＩＣ６４３の出力側にはＰＲＳＴ信号とＵＲＳＴ信号とを生成出力するリセット回路６４４が接続されている。
【００３２】
リセット回路６４４は、一定周期毎にＵＲＳＴ信号を生成すると共に、主制御部４０のＣＰＵ４０１に出力する。ＣＰＵ４０１は、リセット回路６４４から出力されたＵＲＳＴ信号を受けると、ＲＯＭ４０２に格納されている遊技プログラムの実行を一旦終了し、ユーザ設定により任意に設定されたアドレスから再度遊技プログラムの実行を開始する。
【００３３】
一方、電源装置６２が生成する作動電圧Ｖｃｃの電圧レベルが規定値よりも低下した場合には、電源監視ＩＣ６４３がその低下を検出し、リセット回路６４４にＰＷＤＮ信号を出力する。リセット回路６４４は、ＰＷＤＮ信号を受けるとＣＰＵ４０１にＰＲＳＴ信号を出力する。ＣＰＵ４０１は、リセット回路６４４から出力されたＰＲＳＴ信号を受けると、ＲＯＭ４０２に格納されている遊技プログラムの実行を終了し、遊技プログラム開始アドレスから再度遊技プログラムの実行を開始する。
【００３４】
また、停電等により、不測に外部交流電源と電源装置６２とが切り離されて電源開放となった場合、主制御部４０に対して作動電源Ｖｃｃは供給されなくなりＣＰＵ４０１の作動は停止するが、バックアップ電池６４１により作動電源ＶｄｄがＲＡＭ４０３および時計ＩＣ４０６に供給されてこれらの作動電源Ｖｄｄが確保されているので、ＲＡＭ４０３はその作動を停止することがなく、ＲＡＭ４０３に確保した設定データ記憶領域４０３ａに記憶された設定データがそのまま保持される。また、時計ＩＣ４０６はその作動が停止することなく現在の年、月、日、曜日の日付データを継続して生成する。
【００３５】
この結果、停電等の不測の事態が発生したり、また上記した扉開放スイッチ５１，５２からのオン信号に応じて電力供給が停止されたとしても、ＲＡＭ４０３に記憶されているべき設定データや遊技の進行に伴って処理された制御データ（例えば、遊技の状況表示をする表示データや遊技者に特別な利益を与えるために表示する当り図柄データ等）が消失することはなく、電源再投入された際に遊技に異常な障害が発生したり、遊技者や遊技場管理側に損害が発生することが防止でき、円滑に遊技を再開させることができる。
【００３６】
このように、この発明の第１の実施形態では、前枠１２やガラス枠１４が開放されると、その遊技機１への電力供給を停止し、その後は遊技店の店員がホールコンピュータ９側の起動スイッチ９１をオンさせなければ電力供給は再開されないように構成したので、その間にたとえ遊技プログラムを改竄する等の不正行為がなされ、その後前枠１２やガラス枠１４を閉じて遊技を再開しようとしても、電力が停止しているので遊技は行うことができず、したがって、不正な遊技を確実に防止でき、扉を開放してなされる不正行為を確実に防止することができる。
また、このような不正な遊技により遊技店が損害を蒙るようなことも防止することができる。さらに、不正な遊技により損なわれていた遊技の健全性を維持することができ、遊技者の信頼も確保することができる。
【００３７】
また、前枠１２やガラス枠１４が開放されると、その遊技機１またはその遊技島１０において警報音を発生させるようにしたので、遊技店の店員は速やかに扉開放を知って対処することができ、この点からも不正行為を確実に防止することができる。
【００３８】
また、バックアップ機能を持たせ、扉開放スイッチ５１，５２からのオン信号に応じて電力供給が停止されたとしても、ＲＡＭ４０３に記憶されているべき設定データや遊技の進行に伴って処理された制御データをそのまま記憶できるようにしたので、起動スイッチ９１のオンに応じて遊技を再開した場合、それまでの遊技を円滑に再開させることができ、遊技者や遊技店に損害が発生することを防止することができる。
【００３９】
図６はこの発明の第２の実施形態を示す図である。この第２の実施形態において、上記した第１の実施形態と略同一の構成要素には同一の符号を付してその説明を省略する。
【００４０】
この第２の実施形態では、切換装置７１をトランス部８０と分配器７０との間に配置した点が、上記の第１の実施形態と相違している。この構成において、ホールコンピュータ９は、扉開放スイッチ５１，５２からのオン信号が入力されると、当該遊技島１０の切換装置７１に指令してトランス部８０と分配器７０との間を遮断し、分配器７０への送電を停止させる。また、起動スイッチ９１がオンされると、ホールコンピュータ９は、トランス部８０と分配器７０との間を接続する。
【００４１】
したがって、この第２の実施形態では、前枠１２やガラス枠１４が開放されると、その遊技機１が配置されている遊技島１０の全遊技機への電力供給が停止し、また起動スイッチ９１によってその遊技島１０の全遊技機への電力供給が再開する。このため、不正遊技の確実な防止等の、上記した第１の実施形態と同様の効果を発揮するとともに、扉が開放された遊技機だけでなく、その遊技島の全遊技機が停止してしまうので、より多くの遊技者がその扉開放という行為に気づくに至り、不正行為をより一層確実に防止できるようになる。
【００４２】
図７はこの発明の第３の実施形態を示す図である。この第３の実施形態において、上記した第１の実施形態と略同一の構成要素には同一の符号を付してその説明を省略する。
【００４３】
この第３の実施形態では、扉開放スイッチ５１，５２のオン信号が主制御部４０に出力され、主制御部４０はそのオン信号が入力されると、外部端子４２を経由して当該遊技機１の切換装置７１に指令信号を出力し分配器７０と電源モジュール６との間を遮断し、電源モジュール６への電力供給を停止させる。また、主制御部４０は、扉開放スイッチ５１，５２からのオン信号が入力されると、当該遊技機１に設けられている報知器（図示省略）に指令して警報音を発生させる。
さらに、主制御部４０は、当該遊技機１に対応して設けられた起動スイッチ９１がオンされると、そのオン信号（復帰信号）に基づいて、外部端子４２を経由して切換装置７１に指令信号を送出し、分配器７０と電源モジュール６との間を接続し、電源モジュール６への電力供給を開始する。なお、この場合の起動スイッチ９１は、遊技機１内に設けてもよいし、遊技島１０に設けてもよい。
【００４４】
この構成の下で、第３の実施形態では、不正遊技の確実な防止等の、上記した第１の実施形態と同様の効果を発揮することができるとともに、扉開放信号５１，５２や起動スイッチ９１のオン信号を主制御部４０に入力するようにしたので、システム全体を小型化させることができるという効果も発揮することができる。
【００４５】
なお、上記の説明では、切換装置７１に指令して電源の断接を行うようにしたが、他の部位、例えば電源モジュール６のスイッチ装置６１に指令して電源の断接を行うように構成してもよい。
【００４６】
【発明の効果】
この発明は上記した構成からなるので、以下に説明するような効果を奏することができる。
【００４７】
本発明では、遊技機の扉が開放されると、その遊技機への電力供給を遮断し、その後は復帰信号により電力供給を再開するように構成したので、その間にたとえ遊技プログラムを改竄する等の不正行為がなされ、その後扉を閉じて遊技を再開しようとしても、電力が停止しているので遊技は行うことができず、したがって、不正な遊技を確実に防止でき、扉を開放してなされる不正行為を確実に防止することができる。また、このような不正な遊技により遊技店が損害を蒙るようなことも防止することができる。さらに、不正な遊技により損なわれていた遊技の健全性を維持することができ、遊技者の信頼も確保することができる。
【００４８】
また、本発明では、遊技機の扉が開放されると、その遊技機が配置されている遊技島の各遊技機への電力供給を遮断するようにしたので、より多くの遊技者がその扉開放という行為に気づくに至り、不正行為をより一層確実に防止できるようになる。
【００４９】
さらに、本発明では、遊技機の扉が開放されると、主制御部が指令して電源の断接を行うようにしたので、システム全体を小型化させることができる。
【００５０】
また、本発明では、バックアップ機能を持たせるようにしたので、遊技機の扉が開放されて電力供給が停止されたとしても、設定データや遊技の進行に伴って処理された制御データをそのまま記憶することができ、遊技を再開した場合、それまでの遊技を円滑に再開させることができ、遊技者や遊技店に損害が発生することを防止することができる。
【００５１】
また、本発明では、遊技機の扉が開放されると、その旨を報知するようにしたので、遊技店の店員は速やかに扉開放を知って対処することができ、この点からも不正行為を確実に防止することができる。
【図面の簡単な説明】
【図１】この発明の遊技機不正防止システムが適用される遊技機の正面斜視図である。
【図２】図１の遊技機の背面斜視図である。
【図３】扉開放スイッチの一例を示す図である。
【図４】この発明の遊技機不正防止システムの全体構成を示す図である。
【図５】バックアップ機構の構成を示すブロック図である。
【図６】この発明の第２の実施形態を示す図である。
【図７】この発明の第３の実施形態を示す図である。
【符号の説明】
１      遊技機
３      下皿セット
６      電源モジュール
９      ホールコンピュータ
１０      遊技島
１１      外枠
１２      前枠
１３      金枠
１４      ガラス枠
２１      上皿
２２      パネル
３１      操作ハンドル
３２      下皿
４０      主制御部
４１      払出制御装置
４２      外部端子
４３      特別図柄表示装置
４４      音声制御装置
４５      ランプ制御装置
５１      扉開放スイッチ
５１ａ    可動部
５２      扉開放スイッチ
５２ａ    可動部
６１      スイッチ装置
６２      電源装置
６３      電源中継装置
６４      バックアップ電源部
７０      分配器
７１      切換装置
８０      トランス部
９１      起動スイッチ
４０１      ＣＰＵ
４０２      ＲＯＭ
４０３      ＲＡＭ
４０３ａ    設定データ記憶領域
４０４      出力ポート
４０５      データ設定装置
４０６      時計ＩＣ
４１０      内部バス
６２１      供給端子
６４０      バックアップ電源回路
６４１      バックアップ電池
６４２      供給端子
６４３      電源監視ＩＣ
６４４      リセット回路
【図１】
0004578720.tif 000002
【図２】
0004578720.tif 000003
【図３】
0004578720.tif 000004
【図４】
0004578720.tif 000005
【図５】
0004578720.tif 000006
【図６】
0004578720.tif 000007
【図７】
0004578720.tif 000008